(57)【要約】【課題】電子端末を保護すると共に、迅速に放熱冷却できる放熱冷却保護カバーを提供すること。【解決手段】底板１０を含み、底板１０に電子端末を収容するための収容空間が形成され、底板１０上の前記収容空間に対応する位置に放熱凹陥部１１が設けられ、放熱凹陥部１１内に金属板１２と放熱プレート１３が順に重ねて設置され、収容空間内に収容された電子端末が放熱プレート１３と接触するようになっている。【選択図】図２
0003192556.tif 000002
【実用新案登録請求の範囲】
【請求項１】
電子端末の保護と放熱を行う放熱冷却保護カバーであって、底板を含み、前記底板に電子端末を収容するための収容空間が形成され、前記底板上の前記収容空間に対応する位置に放熱凹陥部が設けられ、前記放熱凹陥部内に金属板と放熱プレートが順に重ねて設置され、前記収容空間内に収容された電子端末が前記放熱プレートと接触することを特徴とする、放熱冷却保護カバー。
【請求項２】
前記金属板の辺縁が前記底板内に嵌め込まれたことを特徴とする、請求項１に記載の放熱冷却保護カバー。
【請求項３】
前記金属板の辺縁が、前記底板内に向かって前記底板全体まで延伸され、前記金属板の面積が前記放熱プレートの面積より大きいことを特徴とする、請求項２に記載の放熱冷却保護カバー。
【請求項４】
前記放熱プレートが熱伝導層、熱伝導キャリア層、放熱層を含み、前記熱伝導キャリア層が相対する第１面と第２面を備え、前記熱伝導層が前記熱伝導キャリア層の第１面上に積層され、前記放熱層が前記熱伝導キャリア層の第２面上に積層され、前記熱伝導層が電子端末に接触して熱を前記熱伝導キャリア層内に伝導し、前記熱伝導キャリア層が前記放熱層を介して熱を前記金属板に伝導し、空気中に排出させることを特徴とする、請求項１に記載の放熱冷却保護カバー。
【請求項５】
前記底板に位置決め構造が設置され、前記位置決め構造が、前記底板から上方へ起立した複数の保護辺を含み、前記保護辺の自由端が内側に湾曲されて係止部が形成され、前記底板、前記保護辺、前記係止部が共同で囲んで前記収容空間を形成したことを特徴とする、請求項１に記載の放熱冷却保護カバー。
【請求項６】
前記保護辺において電子端末のスピーカーと対応する位置に外面側へ凹陥した第１ガイド槽が形成され、前記係止部の前記第１ガイド槽と対応する位置に複数の音声出力孔が設けられたことを特徴とする、請求項５に記載の放熱冷却保護カバー。
【請求項７】
前記保護辺において電子端末のマイクロフォンと対応する位置に外面側へ凹陥した第２ガイド槽が形成され、且つ前記係止部の前記第２ガイド槽と対応する位置に複数の音声取り込み孔が設けられたことを特徴とする、請求項５に記載の放熱冷却保護カバー。
【請求項８】
位置決め構造が設置され、前記位置決め構造は底部を含み、複数の保護辺が前記底部の辺縁に沿って上方へ起立して形成され、前記保護辺の自由端が内側に湾曲されて係止部が形成され、前記底部が前記底板上に積層され、前記底部、前記保護辺、前記係止部が共同で囲んで前記収容空間を形成したことを特徴とする、請求項１に記載の放熱冷却保護カバー。
【請求項９】
蓋カバーを含み、前記蓋カバーが前記底板の一側辺に連接され、前記蓋カバーと前記底板が相互に対応する大きさを有し、前記蓋カバーを翻転させて前記底板上を覆い、電子端末を保護するとともに、前記底板に前記蓋カバーを翻転した状態で着脱可能に固定するための固定部材が設置されたことを特徴とする、請求項１に記載の放熱冷却保護カバー。
【請求項１０】
前記蓋カバーに、折り畳んだ時に前記底板の支持座体となる複数の折り畳み線を設置したことを特徴とする、請求項９に記載の放熱冷却保護カバー。
【請求項１１】
前記折り畳み線が、米の字形、Ｙ字形、または、複数の三角形、多辺形の組み合わせで形成した組み合わせ形体のいずれかの形状であることを特徴とする、請求項１０に記載の放熱冷却保護カバー。
【請求項１２】
前記底板が皮革層であることを特徴とする、請求項１に記載の放熱冷却保護カバー。
【考案の詳細な説明】
【技術分野】
【０００１】
本考案は、電子端末の保護と放熱冷却を行う放熱冷却保護カバーに関する。
【背景技術】
【０００２】
現在、携帯型電子端末としてよく見受けられるものには、携帯電話、ＰＤＡ、携帯ゲーム機、タブレットなどがあり、いずれも基本的には電子処理装置に属する。これらの電子処理装置は精密装置であるため、不適切な衝撃を許容しないことから、携帯および使用時には充分注意する必要があり、これらの携帯型電子端末を保護するために、組み合わせて使用する保護カバーが市販されている。これらの保護カバーはタブレットなどの電子端末表面に傷がつかないようにするため、通常は電子端末の上下表面に密着され、その表面を保護している。
【０００３】
携帯電話、タブレットの保護カバーを例とすると、保護カバーで携帯電話、タブレットを保護するとき、保護カバーがその外側表面に密着される。しかしながら、周知の携帯電話、タブレット等の電子端末は使用時に放熱の問題に特に注意する必要があり、発生する熱を迅速に排除することで、携帯電話、タブレットの動作をより円滑にするとともに、携帯電話、タブレット等の使用寿命を延長することができる。
ところが、従来知られている保護カバーを携帯電話、タブレットに装着すると、携帯電話、タブレットの底面に密着するため、携帯電話、タブレットの使用時に放熱不良を引き起こすことがあり、このため、これら電子端末を使用するときは、一般にその上に装着された保護カバーを取り外すことが推奨されており、使用者の携帯型電子端末の携帯時または使用時に不便であるだけでなく、保護カバーを取り外すと保護カバーを紛失しやすくなってしまう。
【考案の概要】
【考案が解決しようとする課題】
【０００４】
本考案が解決しようとする課題は、上述の問題を解決し、電子端末を保護すると共に、迅速に放熱冷却できる放熱冷却保護カバーを提供することにある。
【課題を解決するための手段】
【０００５】
本考案は、電子端末の保護と放熱を行う放熱冷却保護カバーに関し、底板を含み、前記底板に電子端末を収容するための収容空間が形成され、前記底板上の前記収容空間に対応する位置に放熱凹陥部が設けられ、前記放熱凹陥部内に金属板と放熱プレートが順に重ねて設置され、前記収容空間内に収容された電子端末が前記放熱プレートと接触して、電子端末の放熱冷却を行う。
【０００６】
以下の構成を採用しても良い。
前記金属板の辺縁が前記底板内に嵌め込まれた構成。
この場合、前記金属板の辺縁が、前記底板内に向かって前記底板全体まで延伸され、前記金属板の面積が前記放熱プレートの面積より大きい構成。
前記放熱プレートが熱伝導層、熱伝導キャリア層、放熱層を含み、前記熱伝導キャリア層が相対する第１面と第２面を備え、前記熱伝導層が前記熱伝導キャリア層の第１面上に積層され、前記放熱層が前記熱伝導キャリア層の第２面上に積層され、前記熱伝導層が電子端末に接触して熱を前記熱伝導キャリア層内に伝導し、前記熱伝導キャリア層が前記放熱層を介して熱を前記金属板に伝導し、空気中に排出させる構成。
【０００７】
前記底板に位置決め構造が設置され、前記位置決め構造が、前記底板から上方へ起立した複数の保護辺を含み、前記保護辺の自由端が内側に湾曲されて係止部が形成され、前記底板、前記保護辺、前記係止部が共同で囲んで前記収容空間を形成した構成。
この場合、前記保護辺において電子端末のスピーカーと対応する位置に外面側へ凹陥した第１ガイド槽が形成され、前記係止部の前記第１ガイド槽と対応する位置に複数の音声出力孔が設けられた構成。
また、前記保護辺において電子端末のマイクロフォンと対応する位置に外面側へ凹陥した第２ガイド槽が形成され、且つ前記係止部の前記第２ガイド槽と対応する位置に複数の音声取り込み孔が設けられた構成。
【０００８】
位置決め構造が設置され、前記位置決め構造は底部を含み、複数の保護辺が前記底部の辺縁に沿って上方へ起立して形成され、前記保護辺の自由端が内側に湾曲されて係止部が形成され、前記底部が前記底板上に積層され、前記底部、前記保護辺、前記係止部が共同で囲んで前記収容空間を形成した構成。
蓋カバーを含み、前記蓋カバーが前記底板の一側辺に連接され、前記蓋カバーと前記底板が相互に対応する大きさを有し、前記蓋カバーを翻転させて前記底板上を覆い、電子端末を保護するとともに、前記底板に前記蓋カバーを翻転した状態で着脱可能に固定するための固定部材が設置された構成。
前記蓋カバーに、折り畳んだ時に前記底板の支持座体となる複数の折り畳み線を設置した構成。
前記折り畳み線が、米の字形、Ｙ字形、または、複数の三角形、多辺形の組み合わせで形成した組み合わせ形体のいずれかの形状である構成。
前記底板が皮革層である構成。
【考案の効果】
【０００９】
本考案の放熱冷却保護カバーは、電子端末を放熱凹陥部内に収容することにより、電子端末を保護すると共に、電子端末の発生する熱が放熱プレートを通じて金属板に伝導され、さらに金属板から空気中に排出されるため、優れた放熱効果を発揮する。
【図面の簡単な説明】
【００１０】
【図１】本考案の実施例１を示す放熱冷却保護カバーの展開図である。
【図２】図１のＡ−Ａ’線に沿った断面図である。
【図３】本考案の実施例１に係る放熱プレートの分解断面図である。
【図４】本考案の実施例２を示す放熱冷却保護カバーの要部断面図である。
【図５】本考案の実施例３を示す放熱冷却保護カバーの展開図である。
【図６】本考案の実施例４を示す放熱冷却保護カバーの展開図である。
【図７】本考案の実施例５を示す放熱冷却保護カバーの斜視図である。
【図８】本考案の実施例５を示す放熱冷却保護カバーの要部断面図である。
【図９】本考案の実施例６を示す放熱冷却保護カバーの要部断面図である。
【図１０】本考案の実施例７を示す放熱冷却保護カバーの斜視図である。
【図１１】本考案の実施例８を示す放熱冷却保護カバーの斜視図である。
【図１２】図１１のＢ部分拡大図である。
【図１３】本考案の実施例９を示す放熱冷却保護カバーの斜視図である。
【図１４】本考案の実施例９を示す放熱冷却保護カバーの断面図である。
【図１５】本考案の実施例１０を示す放熱冷却保護カバーの斜視図である。
【図１６】図１５のＣ部分拡大図である。
【図１７】図１６のＤ−Ｄ’線に沿った断面図である。
【図１８】本考案の実施例１１を示す放熱冷却保護カバーの斜視図である。
【図１９】本考案の実施例１１を示す放熱冷却保護カバーの展開図である。
【図２０】本考案の実施例１１を示す放熱冷却保護カバーの底板支持状態における斜視図である。
【図２１】本考案の実施例１１を示す放熱冷却保護カバーの別の底板支持状態における斜視図である。
【図２２】本考案の実施例１２を示す放熱冷却保護カバーの展開図である。
【考案を実施するための形態】
【００１１】
以下、本考案の実施例を図面に基づいて詳細に説明する。
図１から図３は本考案の実施例１を示す。
放熱冷却保護カバー１は、電子端末を保護するために用いられると同時に、電子端末の効果的な放熱を行うことができるものであって、底板１０と蓋カバー７０を含む。
底板１０には電子端末を収容するための収容空間が形成され、且つ底板１０上に放熱凹陥部１１が設けられる。放熱凹陥部１１内には、順に金属板１２と放熱プレート１３が重ねて設置され、使用時は電子端末を前記収容空間内に収容し、放熱プレート１３と接触させて電子端末の放熱冷却を行う。
【００１２】
具体的には、金属板１２の辺縁が底板１０内に嵌め込まれ、放熱プレート１３が金属板１２上に重ねて設置され、且つ放熱プレート１３の大きさは放熱凹陥部１１に対応し、金属板１２の面積は放熱プレート１３の面積より大きく形成されている。金属板１２は優れた熱伝導性を備えており、その面積が放熱プレート１３の面積より大きいため、金属板１２中に伝導された熱を迅速に空気中に排出することができ、優れた放熱効果を発揮できる。好ましくは、金属板１２の材質はアルミニウム金属、銀金属、銅金属等とすることができる。
【００１３】
図３に示すように、放熱プレート１３は熱伝導層１３１、熱伝導キャリア層１３２、放熱層１３３を含む。
熱伝導キャリア層１３２は相対する第１面１３２ａと第２面１３２ｂを備え、熱伝導層１３１が熱伝導キャリア層１３２の第１面１３２ａ上に積層され、放熱層１３３が熱伝導キャリア層１３２の第２面１３２ｂ上に積層されている。そして、熱伝導層１３１と電子端末が接触して熱を迅速に熱伝導キャリア層１３２内に伝導し、熱伝導キャリア層１３２が放熱層１３３を通じて熱を金属板１２に伝導して空気中に排出させる。
【００１４】
図１から図３に示すように、蓋カバー７０は、底板１０に対応する大きさを有し、底板１０の一側辺に連接されている。そして、蓋カバー７０は翻転させて底板１０上を覆い、電子端末を保護するようになっている。また、底板１０には蓋カバー７０を翻転した状態で着脱可能に固定するための固定部材８０が設置される。固定部材８０は磁性の留め具またはベルト状の留め具である。
【００１５】
好ましくは、本実施例の放熱冷却保護カバー１は携帯電話用皮革ケースであって、底板１０と蓋カバー７０はいずれも皮革層とし、皮革層の表面に導電金属層または傷防止用ＰＥＴ（ポリエチレンテレフタラート）材質のフィルム層を選択的に設置してもよい。
【００１６】
図４は本考案の実施例２を示す。
実施例２と実施例１の違いは、金属板１２の辺縁が底板１０内に向かって底板１０全体まで延伸され、これにより、金属板１２の面積が放熱プレート１３の面積よりもより一層大きくなり、より優れた放熱冷却性能を備えている点である。
【００１７】
図５に本考案の実施例３を示す。実施例３と実施例１，２の違いは、蓋カバー７０に、あらかじめプレスして折り畳むことにより、米字形の折り畳み線７１を形成した点である。この折り畳み線７１は折り畳んだ時に底板１０の支持座体となる。
また、図６に示す実施例４では、折り畳み線７１を、複数の三角形、多辺形の組み合わせで形成した組み合わせ形体としてある。
なお、折り畳み線７１は、Ｙ字形等の他の形状とすることもできる。
【００１８】
図７及び図８は、本考案の実施例５を示す。
実施例５と上述の４つの実施例の違いは、底板１０上にさらに電子端末を位置決めするための位置決め構造が設置された点である。
具体的に、前記位置決め構造は、底板１０上に設置された複数の保護辺２０を含む。複数の保護辺２０はいずれも底板１０の辺縁に沿って上方へ起立して形成され、底板１０と複数の保護辺２０が共同で囲んで収容空間４０を形成する。
【００１９】
図９は本考案の実施例６を示す。
実施例６に係る放熱冷却保護カバー１は、上述の実施例５と比較して、位置決め構造が異なるだけである。その他の構造は実施例５と同じであるため、説明を省略する。
具体的に、前記位置決め構造は、底部２１と複数の保護辺２０を含む。底部２１は底板１０の上面に積層されている。複数の保護辺２０はいずれも底部２１の辺縁に沿って上方へ起立して形成され、底部２１と複数の保護辺２０が共同で囲んで収容空間４０を形成する。
【００２０】
図１０は本考案の実施例７を示す。
実施例７において、底板１０の周縁は上に向かって外方へ傾斜した状態で延伸されて保護辺２０を形成し、底板１０、保護辺２０が共同で囲んで電子端末を収容する収容空間４０を形成している。
また、底板１０上に放熱凹陥部１１が設けられる。放熱凹陥部１１は底板１０を貫通してもしなくてもよく、放熱凹陥部１１内に金属板（図示しない）と放熱プレート１３が順に重ねて設置される。具体的に、金属板の辺縁が前記底板１０内に嵌め込まれ、放熱プレート１３が金属板１２上に重ねて設置され、且つ放熱プレート１３の大きさは放熱凹陥部１１に対応し、金属板１２の面積は放熱プレート１３の面積より大きく形成される。
そして、放熱プレート１３が直接収容空間４０に収容された電子端末と接触し、且つ金属板１２は優れた熱伝導性を備えており、その面積が放熱プレート１３の面積より大きいため、優れた放熱効果を発揮できる。
【００２１】
図１１及び図１２は本考案の実施例８を示す。
実施例８において、底板１０の周縁は上に延伸されて保護辺２０を形成し、保護辺２０の自由端が内側に湾曲されて係止部３０を形成し、底板１０、保護辺２０、係止部３０が共同で囲んで電子端末を収容するための収容空間４０を形成している。
電子端末を収容空間４０に収容した時、電子端末上に設置されたスピーカーとマイクロフォンを放熱冷却保護カバー１の２つの保護辺２０、あるいは１つの保護辺２０にそれぞれ対応させることができる。
【００２２】
スピーカー、マイクロフォンを放熱冷却保護カバー１の２つの保護辺２０にそれぞれ対応させるときは、スピーカーに対応する保護辺２０上において、前記スピーカーと対応する位置に外面側へ凹陥した第１ガイド槽５１を形成し、係止部３０の第１ガイド槽５１と対応する位置に複数の音声出力孔６１を設ける。また、マイクロフォンに対応する保護辺２０上の前記スピーカーと対応する位置に、外面側へ凹陥した第２ガイド槽５２を形成し、係止部３０の第２ガイド槽５２と対応する位置に複数の音声取り込み孔６２を設ける。
電子端末のスピーカー、マイクロフォンが同一側に位置する場合、同一の保護辺２０のスピーカー、マイクロフォンと対応する位置に第１ガイド槽５１、第２ガイド槽５２をそれぞれ設け、同時に係止部３０の第１ガイド槽５１に対応する位置に複数の音声出力孔６１を設け、さらに係止部３０の第２ガイド槽５２に対応する位置に複数の音声取り込み孔６２を設ける。
本実施例では、第１ガイド槽５１及び音声出力孔６１と、第２ガイド槽５２及び音声取り込み孔６２を同一側に設けてあるが、電子端末のスピーカー、マイクロフォンの設置位置に基づいて放熱冷却保護カバー１を設計する。
【００２３】
図１３及び図１４は本考案の実施例９を示す。
実施例９において、放熱冷却保護カバー１はタブレット保護ケースである。
具体的に、放熱冷却保護カバー１は底板１０を含み、底板１０の周縁に保護辺２０が設けられ、保護辺２０の端部が内側に湾曲されて係止部３０を形成し、底板１０、保護辺２０、係止部３０が共同で囲んで電子端末（タブレット）を収容するための収容空間４０を形成する。
底板１０中に放熱凹陥部１１が設けられる。放熱凹陥部１１は底板１０を貫通してもしなくてもよく、放熱凹陥部１１内に金属板１２と放熱プレート１３が順に重ねて設置される。金属板１２の辺縁が前記底板１０内に嵌め込まれ、放熱プレート１３が金属板１２上に重ねて設置され、且つ放熱プレート１３が直接電子端末と接触し、金属板１２中の熱を迅速に空気中に排出することができ、優れた放熱効果を発揮できる。
【００２４】
図１５から図１７は本考案の実施例１０を示す。
実施例１０の放熱冷却保護カバー１は、好ましくはタブレット保護ケースである。
放熱冷却保護カバー１は底板１０を含み、前記底板１０の周縁が上に延伸されて保護辺２０を形成し、保護辺２０の自由端が内側に湾曲されて係止部３０を形成し、前記底板１０、保護辺２０、係止部３０が共同で囲んで電子端末を収容するための収容空間４０を形成する。底板１０中に設置される放熱プレート１３と金属板１２は上述の実施例９と同じである。
【００２５】
放熱冷却保護カバー１の電子端末のスピーカーと対応する保護辺２０上において、スピーカーと対応する位置に、外面側へ凹陥した第１ガイド槽５１を形成し、係止部３０の第１ガイド槽５１と対応する位置に複数の音声出力孔６１を設ける。
放熱冷却保護カバー１を電子端末の外側に装着した時、音声出力孔６１が使用者の一方に正対して位置するため、スピーカーの発する音声が第１ガイド槽５１にガイドされて複数の音声出力孔６１から出力され、重低音効果を生み出すと同時に、本来電子端末の後方に向かって拡散されていた音声を前方へとガイドして音声出力孔６１から出力させ、音声が弱まらないようにする効果を達成する。
【００２６】
図１８から図２１は、本考案の実施例１１を示す。
実施例１１の放熱冷却保護カバー１は、タブレット用皮革ケースであり、底板１０と蓋カバー７０を含む。
蓋カバー７０が底板１０の一側辺に連接され、蓋カバー７０に米字形の折り畳み線７１を設けてある。これらの折り畳み線７１はあらかじめ定めた折り畳み方法に従ってプレスして形成され、使用時に折り畳んで底板１０の支持座体を形成し、それにより底板１０内に収容された電子端末を任意の台上に置いたときにこれを支え、電子端末を便利に見たり、操作したりすることを可能にする。
【００２７】
図２２は本考案の実施例１２を示す。
実施例１２と上述の実施例１１との違いは、蓋カバー７０上に設置された折り畳み線７１が違うだけであり、実施例１２では、折り畳み線７１が複数の三角形、多辺形を組み合わせて形成された組み合わせ形体である。
その他の構造はいずれも上述の実施例１１と同じである。
【符号の説明】
【００２８】
１        放熱冷却保護カバー
１０      底板
１１      放熱凹陥部
１２      金属板
１３      放熱プレート
１３１    熱伝導層
１３２    熱伝導キャリア層
１３２ａ  第１面
１３２ｂ  第２面
１３３    放熱層
２０      保護辺
３０      係止部
４０      収容空間
５１      第１ガイド槽
５２      第２ガイド槽
６１      音声出力孔
６２      音声取り込み孔
７０      蓋カバー
７１      折り畳み線
８０      固定部材
【図１】
0003192556.tif 000003
【図２】
0003192556.tif 000004
【図３】
0003192556.tif 000005
【図４】
0003192556.tif 000006
【図５】
0003192556.tif 000007
【図６】
0003192556.tif 000008
【図７】
0003192556.tif 000009
【図８】
0003192556.tif 000010
【図９】
0003192556.tif 000011
【図１０】
0003192556.tif 000012
【図１１】
0003192556.tif 000013
【図１２】
0003192556.tif 000014
【図１３】
0003192556.tif 000015
【図１４】
0003192556.tif 000016
【図１５】
0003192556.tif 000017
【図１６】
0003192556.tif 000018
【図１７】
0003192556.tif 000019
【図１８】
0003192556.tif 000020
【図１９】
0003192556.tif 000021
【図２０】
0003192556.tif 000022
【図２１】
0003192556.tif 000023
【図２２】
0003192556.tif 000024